(57)【特許請求の範囲】
【請求項１】
動作演出を行う可動役物と、
前記可動役物の少なくとも一部を収納する収納部と、
前記収納部に設けられるガイド部材とを備え、
前記可動役物は、当該可動役物本体に対して姿勢変化可能な可動部を有し、
前記可動部は、前記可動役物が前記収納部に収納される際に前記ガイド部材に当接して姿勢を変化させる、パチンコ遊技機。
【発明の詳細な説明】
【技術分野】
【０００１】
本発明は、遊技領域において演出動作を行う可動役物を備えるパチンコ遊技機に関する。
【背景技術】
【０００２】
パチンコ遊技機には、リーチ演出、大当たり告知演出、及び大当たり遊技演出等の演出に用いられる可動役物が備えられる場合が多い。この可動役物は、様々な種類が有り、一般にそのパチンコ遊技機の題材に関連する形状であり、遊技領域において動きによる演出を行う。可動役物の種類としては、例えば、題材となったテレビアニメ等の主人公を表した役物、このテレビアニメ等において印象的に登場する道具等を表す役物がある。また、可動役物のタイプとして、可動役物による演出を実行しないときには遊技領域において一部又は全部が隠れていて（収納されていて）、可動役物による演出を実行する際に出現するタイプのものがある。例えば、非特許文献１に記載されたパチンコ遊技機には、可動役物として、題材である漫画で印象的に登場する槍を表す役物が備えられている。この槍の役物は、通常は半分程度が見えるように収納されており、演出の際に出現して全体像を現す。
【先行技術文献】
【非特許文献】
【０００３】
【非特許文献１】「パチンコ必勝ガイド」、株式会社白夜書房、２０１０年３月４日発行、２０１０年３月４日号、ページ４、ＣＲ花の慶次  愛
【発明の概要】
【発明が解決しようとする課題】
【０００４】
一般に、可動役物には、迫力ある演出を行うために大型のものを使用したいという要望がある。しかし、上記した収納されるタイプの可動役物の場合、可動役物の大きさが当該可動役物を収納するスペースの大きさに依存する。このことから、この収納スペースが十分に確保できない場合には、大型の可動役物を使用することはできず、この結果として、大型の可動役物による迫力ある演出を行うことは困難であった。
【０００５】
それ故に、本発明の目的は、可動役物の収納スペースが十分に確保できない場合であっても大型の可動役物をこの収納スペースに収納して、大型の可動役物による迫力ある演出を行うことができるパチンコ遊技機を提供することである。
【課題を解決するための手段】
【０００６】
上記の目的を達成するために、本発明は以下の構成を採用した。なお、括弧内の参照符号等は、本発明の理解を助けるために後述する実施形態との対応関係を示したものであって、本発明の範囲を何ら限定するものではない。
【０００７】
動作演出を行う可動役物（２２）と、前記可動役物の少なくとも一部を収納する収納部（２３）と、前記収納部に設けられるガイド部材（８０、９０、９１）とを備え、前記可動役物は、当該可動役物本体（８５）に対して姿勢変化可能な可動部（８１、８２）を有し、前記可動部は、前記可動役物が前記収納部に収納される際に前記ガイド部材に当接して姿勢を変化させる（図５等参照）。
【０００８】
また、前記ガイド部材（８０）は、前記可動役物に対向する面を有し、前記可動部は、前記可動役物本体に対して回動可能に支持されており、前記収納部に収納される際に前記ガイド部材の面に一部が当接して、姿勢を変化させてもよい（図５等参照）。
【０００９】
また、前記ガイド部材（９０、９１）は、棒形状であり、前記可動部は、前記可動役物本体に対して回動可能に支持されており、前記収納部に収納される際に前記ガイド部材に一部が当接して、姿勢を変化させてもよい（図７等参照）。
【００１０】
また、前記ガイド部材（９０、９１）は、円柱形状であり、少なくとも表面部分が回動可能であり、前記可動部が前記収納部に収納される際に当該可動部の一部に当接して、当該少なくとも表面部分が回動してよい。
【発明の効果】
【００１１】
本発明によれば、可動役物の収納スペースが十分に確保できない場合であっても大型の可動役物をこの収納スペースに収納して、大型の可動役物による迫力ある演出を行うことができるパチンコ遊技機を提供することができる。
【図面の簡単な説明】
【００１２】
【図１】本発明の一実施形態に係るパチンコ遊技機１の一例を示す概略正面図
【図２】本発明の一実施形態に係るパチンコ遊技機１の一例を示す概略正面図
【図３】本発明の一実施形態に係るパチンコ遊技機１の一例を示す概略正面図
【図４】可動役物演出において、収納部２３に収納されていた頭役物２２が収納部２３から出て出現する動作を説明するための概略図
【図５】可動役物演出において、収納部２３から出現した頭役物２２が収納部２３に収納される動作を説明するための概略図
【図６】右ツノ部材８１及び左ツノ部材８２の正面図及び側面図
【図７】ガイド部材の他の例について説明するための図
【図８】収納部２３が他の位置に設けられる場合について説明するための図
【図９】収納部２３が他の位置に設けられる場合について説明するための図
【発明を実施するための形態】
【００１３】
以下、適宜図面を参照しつつ、本発明の一実施形態に係るパチンコ遊技機１ついて説明する。なお、以下では、パチンコ遊技機１を、単に、遊技機１という場合がある。
【００１４】
［パチンコ遊技機１の概略構成］
図１は、本発明の一実施形態に係るパチンコ遊技機１の一例を示す概略正面図である。以下、図１を参照して、本発明の一実施形態に係るパチンコ遊技機１の概略構成について説明する。
【００１５】
図１において、遊技機１は、例えば遊技者の指示操作により打ち出された遊技球が入賞すると賞球を払い出すように構成されたパチンコ遊技機である。この遊技機１は、遊技球が打ち出される遊技盤２と、遊技盤２を囲む枠部材５とを備えている。
【００１６】
遊技盤２は、その前面に、遊技球により遊技を行うための遊技領域２０が形成されている。遊技領域２０は、下方から発射された遊技球を、遊技盤２の主面に沿って上昇させて遊技領域２０の上部位置へ案内するガイドレール（図示なし）を備えている。
【００１７】
また、遊技盤２には、遊技者により視認され易い位置に、各種演出のための画像を表示する画像表示器２１が配設されている。画像表示器２１は、遊技者による遊技の進行に応じて、例えば、装飾図柄を表示することによって特別図柄抽選（大当たり抽選）の結果を遊技者に報知したり、キャラクタの登場やアイテムの出現による予告演出を表示したりする。画像表示器２１は、例えば、液晶表示装置やＥＬ（Ｅｌｅｃｔｒｏ  Ｌｕｍｉｎｅｓｃｅｎｃｅ：電界発光）表示装置等によって構成される。
【００１８】
また、画像表示器２１の上方には、動きによる演出を行う可動役物として、遊技機１の題材に関連したオブジェクト（本実施形態では、一例として、題材であるテレビアニメの主人公であるロボットの頭部）を表す頭役物２２が配置されている。また、画像表示器２１の上方には、頭役物２２を収納する収納部２３が設けられている。頭役物２２は、頭役物２２を移動させて出現させる演出（以下、可動役物演出という）が実行されない期間には、図１に示すように、収納部２３に収納されて遊技者からは視認されない。そして、頭役物２２は、可動役物演出が実行される場合、図２に示すように、収納部２３から下方に移動して画像表示器２１の前面に出現して、可動役物演出を行う。その後、頭役物２２は、図３に示すように、上方に移動して再び収納部２３に収納される。なお、頭役物２２を移動させる構造について図示及び説明は、省略する。
【００１９】
遊技領域２０には、遊技球が下方へ落下する方向を変化させる遊技くぎおよび風車（共に、図示せず）等が配設されている。また、遊技領域２０には、入賞や抽選に関する種々の役物が所定の位置に配設されている。なお、図１においては、入賞や抽選に関する種々の役物の一例として、第１始動口２５ａ、第２始動口２５ｂ、ゲート２７、大入賞口２８、および普通入賞口２９が遊技盤２に配設されている。さらに、遊技領域２０には、遊技領域２０に打ち出された遊技球のうち何れの入賞口にも入賞しなかった遊技球を、遊技領域２０の外に排出する排出口２４が配設されている。
【００２０】
第１始動口２５ａおよび第２始動口２５ｂは、それぞれ遊技球が入ると入賞して特別図柄抽選（大当たり抽選）が始動する。第１始動口２５ａ及び第２始動口２５ｂは、予め定められた特別電動役物（大入賞口２８）および／または表示器３の所定部分を作動させることとなる、遊技球の入賞に係る入賞口である。ゲート２７は、遊技球が通過すると普通図柄抽選（下記電動チューリップ２６の開閉抽選）が始動する。
【００２１】
第２始動口２５ｂは、第１始動口２５ａの下部に設けられ、普通電動役物の一例として、遊技球の入口近傍に電動チューリップ２６を備えている。電動チューリップ２６は、チューリップの花を模した一対の羽根部を有しており、後述する電動チューリップ開閉部１１２（例えば、電動ソレノイド）の駆動によって当該一対の羽根部が左右に開閉する。
【００２２】
大入賞口２８は、第２始動口２５ｂの下方に位置し、特別図柄抽選の結果に応じて開放する。大入賞口２８は、通常は閉状態であり遊技球が入ることがない状態となっているが、特別図柄抽選の結果に応じて遊技盤２の主面から突出傾斜して所定時間開状態となって遊技球が入り易い状態となる。
【００２３】
また、遊技盤２の所定位置（例えば、右下）に、上述した特別図柄抽選や普通図柄抽選の結果や保留数に関する表示を行う表示器３が配設されている。
【００２４】
ここで、賞球の払い出しについて説明する。第１始動口２５ａ、第２始動口２５ｂ、大入賞口２８、および普通入賞口２９に遊技球が入る（入賞する）と、遊技球が入賞した場所に応じて、１つの遊技球当たり規定個数の賞球が払い出される。
【００２５】
遊技機１の前面となる枠部材５には、ハンドル５１、レバー５２、取り出しボタン５４、スピーカ５５、枠ランプ５６、演出ボタン５７、皿５９等が設けられている。
【００２６】
遊技者がハンドル５１に触れてレバー５２を時計回りに回転させる操作を行うと、その操作角度に応じた打球力で、発射装置（図示せず）が遊技球を電動発射する。皿５９は、遊技機１の前方に突出して設けられ、発射装置に供給する遊技球を一時的に溜めておく。また、皿５９には、上述した賞球が払い出される。そして、皿５９に溜められた遊技球は、遊技者のレバー５２による操作と連動したタイミングで、供給装置（図示せず）によって１つずつ発射装置に供給される。
【００２７】
取り出しボタン５４は、皿５９が設けられた位置近傍の前面に設けられ、遊技者に押下されることによって皿５９に溜まっている遊技球を箱（図示せず）に落下させる。
【００２８】
スピーカ５５および枠ランプ５６は、それぞれ遊技機１の遊技状態や状況を告知したり各種の演出を行ったりする。
【００２９】
また、遊技機１の背面側には、払出用の遊技球を溜めておく球タンクや遊技球を皿５９に払い出す払出装置が設けられ、各種の基板等が取り付けられている。例えば、遊技盤２の後面には、メイン基板およびサブ基板等が配設されている。具体的には、メイン基板には、内部抽選および当選の判定等を行うメイン制御部が構成されたメイン制御基板が配設されている。サブ基板には、遊技球を遊技領域２０の上部へ発射する発射装置を制御する発射制御部が構成された発射制御基板、賞球の払出を制御する払出制御部が構成された払出制御基板、演出を統括的に制御する演出制御部が構成された演出制御基板、画像および音による演出を制御する画像音響制御部が構成された画像制御基板、および各種のランプ（枠ランプ５６等）や頭役物２２（可動役物）による演出を制御するランプ制御部６００が構成されたランプ制御基板等が配設されている。また、遊技盤２の後面には、遊技機１の電源オン／オフを切り替えるとともに、遊技機１に供給された２４Ｖ（ボルト）の交流電力を各種電圧の直流電力に変換して、それぞれの電圧の直流電力を上述した各種の基板等に出力するスイッチング電源が配設されている。
【００３０】
［本実施形態による特徴的構造及び動作］
図４は、可動役物演出において、収納部２３に収納されていた頭役物２２が収納部２３から出て出現する動作を説明するための概略図である。図５は、可動役物演出において、収納部２３から出現した頭役物２２が収納部２３に収納される動作を説明するための概略図である。以下では、図４及び図５を用いて、本実施形態における特徴的構造及び動作について説明する。なお、図４（１）〜（３）及び図５（１）〜（３）は、頭役物２２及び収納部２３を背面側（遊技者に対向する側）から見た状態を示しており、収納部２３は点線で示している。
【００３１】
図４（１）に示すように、頭役物２２は、本体プレート８５と、右ツノ部材８１と、左ツノ部材８２と、スプリング８３とを備える。
【００３２】
図６は、右ツノ部材８１及び左ツノ部材８２の正面図及び側面図である。図６（１）は右ツノ部材８１であり、図６（２）は左ツノ部材８２である。図６（１）に示すように、右ツノ部材８１は、棒形状のツノ本体８１３と、中央領域が括れた円柱形状の回動軸８１４と、スプリング８３の端部を固定するための貫通穴８１６を一端に有する棒材８１５とを備える。回動軸８１４の一端には、その円筒曲面の法線方向に立ってツノ本体８１３が固定され、回動軸８１４の他端にはその円筒曲面の法線方向に立って棒材８１５が固定されている。棒材８１５において、貫通穴８１６は、回動軸８１４と反対方向の端部に設けられている。また、図６（１）の正面図に示すように、棒材８１５は、ツノ本体８１３に対して、回動軸８１４を中心として図６（１）の紙面に向かって左回りに４５°回転した位置に固定されている。図６（２）に示すように、左ツノ部材８２は、棒形状のツノ本体８２３と、中央領域が括れた円柱形状の回動軸８２４と、スプリング８３の端部を固定するための貫通穴８２６を一端に有する棒材８２５とを備える。回動軸８２４の一端には、その円筒曲面の法線方向に立ってツノ本体８２３が固定され、回動軸８２４の他端にはその円筒曲面の法線方向に立って棒材８２５が固定されている。棒材８２５において、貫通穴８２６は、回動軸８２４と反対方向の端部に設けられている。また、図６（２）の正面図に示すように、棒材８２５は、ツノ本体８２３に対して、回動軸８２４を中心として図６（２）の紙面に向かって右回りに４５°回転した位置に固定されている。
【００３３】
図４（１）に示すように、右ツノ部材８１は、本体プレート８５の上部右側に設けられた貫通穴に回動軸８１４の括れた中央部分を通して、回動可能に支持される。同様に、左ツノ部材８２は、本体プレート８５の上部左側に設けられた貫通穴に回動軸８２４の括れた中央部分を通して、回動可能に支持される。右ツノ部材８１のツノ本体８１３及び左ツノ部材８２のツノ本体８２３は、図４（１）のＡ−Ａ’断面に示すように、本体プレート８５の遊技者側（正面）に配置される。
【００３４】
本体プレート８５の裏面に配置された右ツノ部材８１の棒材８１５の貫通穴８１６及び左ツノ部材８２の棒材８２５の貫通穴８２６には（図６参照）、スプリング８３の端部がそれぞれ固定されている。スプリング８３は縮もうとするので棒材８１５及び８２５が近づくように引っ張られて、回動軸８１４及び８２５が回動して、右ツノ部材８１及び左ツノ部材８２は上下方向に立とうとする。
【００３５】
図４（１）に示すように、収納部２３の内側上端部には、プレート形状のガイド部材８０が遊技盤２に固定されて配置されている。ここで、図４（１）に示す頭役物２２が収納部２３に収納されている状態（以下、収納状態という）では、右ツノ部材８１及び左ツノ部材８２は、これらの先部分がガイド部材８０に当接しており、上側を大きく開いたＶ字形状となっている。なお、この時、スプリング８３は、右ツノ部材８１及び左ツノ部材８２が開いているので、伸びた状態である。
【００３６】
演出制御部によって可動役物演出の実行が決定されると、ランプ制御部は可動役物演出を開始する。
【００３７】
可動役物演出を開始すると、まず、ランプ制御部は、図示しない駆動機構を用いて、図４（２）に示すように、収納状態の頭役物２２を下方向に移動させる。図４（２）から解るように、頭役物２２が下方向に移動すると、スプリング８３が縮んで、大きく開いたＶ字形状となっていた右ツノ部材８１及び左ツノ部材８２は、それらの先部分をガイド部材８０に当接したまま、除除に上下方向に立っていく。
【００３８】
更に頭役物２２が下方向に移動すると、図４（３）に示すように、右ツノ部材８１及び左ツノ部材８２は、それらの先部分がガイド部材８０から離れ、スプリング８３が縮んで、それぞれ、上下方向（鉛直方向）から３０°傾いた（つまり６０°開いた）Ｖ字形状の状態となる。ここで、右ツノ部材８１及び左ツノ部材８２は、図示しないストッパによって、これ以上立つことはない。
【００３９】
その後、図２に示すように、頭役物２２は大きく下方向に移動して、画像表示器２１の前面に出現する。
【００４０】
その後、ランプ制御部は、図示しない駆動機構を用いて、図５（１）に示すように、頭役物２２を上方向に移動させる。そして、図５（２）に示すように、右ツノ部材８１及び左ツノ部材８２の先部分がガイド部材８０に当接すると、図５（２）から解るように、スプリング８３が伸びて、Ｖ字形状が除除に開くように右ツノ部材８１及び左ツノ部材８２は、除除に傾いていく。更に頭役物２２が上方向に移動すると、更に右ツノ部材８１及び左ツノ部材８２は傾き、図５（３）に示すように、図４（１）に示した収納状態に戻り、可動役物演出は終了する。
【００４１】
ここで、図４及ぶ図５から解るように、頭役物２２が収納部２３から出現する際及び頭役物２２が収納部２３に収納される際には、右ツノ部材８１及び左ツノ部材８２の先部分は、ガイド部材８０に当接（接触）してその表面を滑る。このことによって、右ツノ部材８１及び左ツノ部材８２は滑らかにその姿勢を変え、この結果として、頭役物２２は収納部２３に収納される。なお、このことから、右ツノ部材８１及び左ツノ部材８２の先端部分及びガイド部材８０の少なくとも表面は、摩擦抵抗が低く耐摩耗性が高いことが好ましい。
【００４２】
以上に説明したように、本実施形態では、可動役物演出において頭役物２２を出現させる際及び収納する際には、ガイド部材８０及びスプリング８３の引っ張り力によって右ツノ部材８１及び左ツノ部材８２を姿勢変化させる。このことから、大型のツノを備えた頭役物２２を収納部２３にコンパクトに収納することができ、又、可動役物演出においてこの大型のツノを備えた頭役物２２によって迫力ある演出を実行することができる。
【００４３】
［本実施形態の変形例］
なお、上記した本実施形態では、右ツノ部材８１及び左ツノ部材８２を姿勢変化させるために、プレート形状のガイド部材８０を用いた。しかし、ガイド部材の形状はこれには限られない。図７は、ガイド部材の他の例について説明するための図である。図７（１）において、ガイド部材は、一例として円柱形状のガイド部材９０及び９１である。図７（１）に示すように、ガイド部材９０及び９１は、頭役物２２が収納部２３に収納される際に、右ツノ部材８１及び左ツノ部材８２の先部分の内側（頭役物２２の中央方向の側）に当たる位置に配置されている。そして、図７（２）に示すように、更に頭役物２２が上方向に移動すると、ガイド部材９０及び９１は右ツノ部材８１及び左ツノ部材８２の内側面（頭役物２２の中央方向の側面）に当接して滑って、右ツノ部材８１及び左ツノ部材８２は左右方向に開いていく。そして、最終的に図７（３）に示す収納状態になる。なお、頭役物２２が収納部２３から出現する動作についての説明は省略する。なお、ガイド部材９０及び９１は、その中心軸を回転軸として自由に回転可能に遊技盤２に取り付けられていてもよい。また、ガイド部材９０及び９１は、それぞれ、円筒部分と当該円筒部分に差し込まれた円柱部分とから成ってもよい。この様にすることによって、右ツノ部材８１及び左ツノ部材８２がガイド部材９０及び９１に当接する際に、ガイド部材９０及び９１（又はガイド部材９０及び９１の円筒部分）が回動するので、より滑らかに可動役物演出を実行できる。
【００４４】
また、上記した本実施形態では、遊技領域２０に設けられた収納部２３に頭役物２２が収納される構成とした（図１〜図３参照）。しかし、頭役物２２が収納される場所はこれには限られず、例えば、図８に示すように、ガイド部材８０を遊技領域２０の裏側に配置し、頭役物２２を遊技領域２０の裏側の収納部に収納してもよい。この場合、図９に示すように、頭役物２２は、遊技盤２と画像表示器２１との隙間から出現して可動役物演出が実行されることとなる。
【００４５】
また、上記した本実施形態では、可動役物として、頭役物２２を用いて説明した。しかし、可動役物はこれには限られず、他の様々な形状の役物であってもよい。
【００４６】
また、上記した本実施形態では、頭役物２２は、上下移動するものとして説明した。しかし、これらの役物は、上下移動には限られず、例えば、左右移動等してもよい。
【００４７】
また、上記した本実施形態では、頭役物２２全体が収納部２３に収納された。しかし、頭役物２２は、一部（例えば半分）が収納部２３に収納されて、残りの部分は収納状態においても遊技者から視認できるように収納部２３から出ていてもよい。
【００４８】
また、上記した本実施形態では、収納状態において姿勢を変化させてコンパクトになる部材として、棒形状の右ツノ部材８１及び左ツノ部材８２を一例に挙げて説明した。しかし、収納状態において姿勢を変化させてコンパクトとなる部材は、これには限られず、様々な形状の部材であってよい。
【００４９】
また、上記した本実施形態では、右ツノ部材８１及び左ツノ部材８２が回動軸８１４及び回動軸８２４を軸に回動してその姿勢を変化させた（図４等参照）。しかし、右ツノ部材８１及び左ツノ部材８２は、回動によってではなく、例えば、スライド等することによって姿勢を変化させてもよい。
【００５０】
また、上記した本実施形態では、ガイド部材８０は、プレート形状として説明した、しかし、ガイド部材は、この形状には限られず、頭役物２２に対向する面を有して、この面で右ツノ部材８１及び左ツノ部材８２の姿勢を変化させるものであればよい。
【００５１】
また、上述したパチンコ遊技機１に設けられている各構成要素の形状、数、および設置位置等は、単なる一例に過ぎず他の形状、数、および設置位置であっても、本発明の範囲を逸脱しなければ本発明を実現できることは言うまでもない。
【００５２】
以上、本発明を実施形態を用いて詳細に説明してきたが、前述の説明はあらゆる点において本発明の例示にすぎず、その範囲を限定しようとするものではない。本発明の範囲を逸脱することなく種々の改良や変形を行うことができることは言うまでもない。また、本明細書において使用される用語は、特に言及しない限り、当該分野で通常用いられる意味で用いられることが理解されるべきである。したがって、他に定義されない限り、本明細書中で使用される全ての専門用語および技術用語は、本発明の属する分野の当業者によって一般的に理解されるのと同じ意味を有する。矛盾する場合、本明細書（定義も含めて）が優先する。
【００５３】
[以上の実施形態の効果例]
上記した実施形態において、頭役物２２は、本体プレート８５に対して姿勢変化可能な可動部（右ツノ部材８１、左ツノ部材８２）を有し、当該可動部は、頭役物２２が収納部２３に収納される際にガイド部材８０（又は９０、９１）に当接して姿勢を変化させる（図５、図７参照）。
【００５４】
これによれば、頭役物２２の収納スペースが十分に確保できない場合であっても大型の頭役物２２を収納部２３に収納することができるので、大型の頭役物２２による迫力ある演出を行うことができる。
【００５５】
また、ガイド部材（８０）は、頭役物２２に対向する面を有し、上記可動部は、本体プレート８５に対して回動可能に支持されており、収納部２３に収納される際にガイド部材８０の面に一部が当接して、姿勢を変化させてもよい（図５等参照）。
【００５６】
これによれば、例えばプレート形状のガイド部材８０を収納部２３に備えることによって、ガイド部材を配置するスペースが小さい場合であっても、シンプルな構成で大型の頭役物２２を収納部２３に収納することができる。
【００５７】
また、ガイド部材（９０、９１）は、棒形状であり、上記可動部は、本体プレート８５に対して回動可能に支持されており、収納部２３に収納される際に上記ガイド部材に一部が当接して、姿勢を変化させてもよい（図７等参照）。
【００５８】
これによれば、ガイド部材を配置するスペースが小さい場合であっても、シンプルな構成で大型の頭役物２２を収納部２３に収納することができる。
【００５９】
また、ガイド部材（９０、９１）は、円柱形状であり、少なくとも表面部分が回動可能であり、上記可動部が収納部２３に収納される際に当該可動部の一部に当接して、当該少なくとも表面部分が回動してよい。
【００６０】
これによれば、可動部に当接した際に、少なくもガイド部材の表面部分が回動するので、より滑らかに頭役物２２を移動させることができる。
【符号の説明】
【００６１】
１…遊技機
２…遊技盤
２０…遊技領域
２１…画像表示器
２２…可動役物（頭役物）
２３…収納部
２４…排出口
２５ａ…第１始動口
２５ｂ…第２始動口
２６…電動チューリップ
２７…ゲート
２８…大入賞口
２９…普通入賞口
３…表示器
５…枠部材
５１…ハンドル
５２…レバー
５４…取り出しボタン
５５…スピーカ
５６…枠ランプ
５７…演出ボタン
５９…皿
８１…右ツノ部材
８１３、８２３…ツノ本体
８３…スプリング
８２…左ツノ部材
８１４、８２４…回動軸
８１５、８２５…棒材
８１６、８２６…貫通穴
【図１】
0005133440.tif 000002
【図２】
0005133440.tif 000003
【図３】
0005133440.tif 000004
【図４】
0005133440.tif 000005
【図５】
0005133440.tif 000006
【図６】
0005133440.tif 000007
【図７】
0005133440.tif 000008
【図８】
0005133440.tif 000009
【図９】
0005133440.tif 000010